【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
電子写真画像形成装置本体に対し装着可能およびその装着方向とは逆方向に取り外し可能なプロセスカートリッジであって、
静電潜像が形成される感光ドラムと、
前記静電潜像を現像するべく前記感光ドラムに接触する接触位置と、前記感光ドラムから離れた離間位置と、の間を移動可能な現像ローラと、
前記感光ドラムおよび前記現像ローラを支持するカートリッジフレームと、
前記カートリッジフレームの外側に突出した突出位置と、前記突出位置から前記カートリッジフレームの内側へ向かって退避した退避位置と、を取り得る突出部材であって、前記プロセスカートリッジが装着された状態かつ前記突出部材が前記突出位置に位置する状態において前記現像ローラを前記接触位置から前記離間位置へ移動させるための離間力を受ける離間力受け部と、前記突出部材が前記突出位置に位置した状態での前記プロセスカートリッジの取り外しに伴い前記退避位置へ向かう力を受ける退避力受け部と、を有する突出部材と、
を有することを特徴とするプロセスカートリッジ。
【請求項２】
前記装着方向において、前記離間力受け部は前記突出部材の下流側に設けられ、前記退避力受け部は前記突出部材の上流側に設けられたことを特徴とする請求項１に記載のプロセスカートリッジ。
【請求項３】
前記突出部材を突出させる方向に付勢する付勢部と、
前記付勢部の付勢力に抗して前記突出部材を前記退避位置に位置させるために前記突出部材と係合する係合位置と、前記突出部材を突出させるべく前記突出部材との係合を解除する解除位置と、の間を移動可能な係合部と、
を有する請求項１または２に記載のプロセスカートリッジ。
【請求項４】
前記係合部は、前記装置本体から力をうけることにより前記突出部材との係合を解除することを特徴とする請求項３に記載のプロセスカートリッジ。
【請求項５】
前記係合部は、前記現像フレームに設けられていることを特徴とする請求項３または４に記載のプロセスカートリッジ。
【請求項６】
前記係合部は、前記ドラムフレームに設けられていることを特徴とする請求項３または４に記載のプロセスカートリッジ。
【請求項７】
前記装置本体から受けた力で移動することにより前記係合部と前記突出部材との係合を解除する解除部材を有することを特徴とする請求項３乃至６のいずれか１項に記載のプロセスカートリッジ。
【請求項８】
前記係合部と前記解除部材とが一体で設けられていることを特徴とする請求項７に記載のプロセスカートリッジ。
【請求項９】
前記解除部材は、前記現像フレームに移動可能に設けられていることを特徴とする請求項７または８に記載のプロセスカートリッジ。
【請求項１０】
前記プロセスカートリッジが装着された状態で、前記装置本体から駆動力を受けて回転することにより前記係合部を移動させて前記突出部材との係合を解除させるギアを有することを特徴とする請求項３に記載のプロセスカートリッジ。
【請求項１１】
前記係合部は、前記突出部材を前記退避位置に保持するために前記突出部材と係合する方向に付勢されていることを特徴とする請求項３に記載のプロセスカートリッジ。
【請求項１２】
前記カートリッジフレームは、前記感光ドラムを支持するドラムフレームと、前記現像ローラを支持し、前記ドラムフレームに対し回動可能な現像フレームと、を有し、
前記突出部材は、前記ドラムフレームに対する前記現像フレームの回動軸線から離れる方向へ突出するように構成されていることを特徴とする請求項１乃至１１のいずれか１項に記載のプロセスカートリッジ。
【請求項１３】
請求項１乃至１２のいずれか１項に記載のプロセスカートリッジと、前記装置本体と、を有することを特徴とする電子写真画像形成装置。
【手続補正２】
【補正対象書類名】明細書
【補正対象項目名】００１１
【補正方法】変更
【補正の内容】
【００１１】
上記目的を達成するための代表的な構成は、
電子写真画像形成装置本体に対し装着可能およびその装着方向とは逆方向に取り外し可能なプロセスカートリッジであって、
静電潜像が形成される感光ドラムと、
前記静電潜像を現像するべく前記感光ドラムに接触する接触位置と、前記感光ドラムから離れた離間位置と、の間を移動可能な現像ローラと、
前記感光ドラムおよび前記現像ローラを支持するカートリッジフレームと、
前記カートリッジフレームの外側に突出した突出位置と、前記突出位置から前記カートリッジフレームの内側へ向かって退避した退避位置と、を取り得る突出部材であって、前記プロセスカートリッジが装着された状態かつ前記突出部材が前記突出位置に位置する状態において前記現像ローラを前記接触位置から前記離間位置へ移動させるための離間力を受ける離間力受け部と、前記突出部材が前記突出位置に位置した状態での前記プロセスカートリッジの取り外しに伴い前記退避位置へ向かう力を受ける退避力受け部と、を有する突出部材と、
を有することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００３９
【補正方法】変更
【補正の内容】
【００３９】
前述したように、ドア１２が開放位置から閉じ位置に移動する閉動作に伴い、カートリッジ５０ｙのドラムフレーム突部３１ａがｙ２方向（図６）に移動し、本体フレーム１０１ａに位置決めされる。その際本体フレームに固定した解除部材押し部材１０２に解除部材７５の当接部７５ｄが当接し、解除部材７５がｙ２反対方向に押し上げられる。即ち、解除部材７５は、解除部材押し部材１０２から外力（第２の外力）を受けることになる。ここで、解除部材７５は現像フレーム４８に移動可能に設けられている。図５、図１３に示すように、解除部材７５は最初、力受け部７０と係合しているが、解除部材７５が押し上げられることにより力受け部７０との係合が外れる。そして、図６、図１４に示すように突出部材７０は突出部材に設けた回転軸７０ｇ（図１３）を回転中心とし、図５に示す待機位置（退避位置）から図６に示す現像ユニット４１の外方、すなわち、現像ユニット４１の回転中心４６ｂから離れる方向へ移動する。
【手続補正５】
【補正対象書類名】明細書
【補正対象項目名】００６１
【補正方法】変更
【補正の内容】
【００６１】
次に、図８に示すように、第１力付与部材６０が矢印Ｂ方向に移動することで、移動経路内に進入した突出部材７０の被押圧部（離間力受け部）である側面７０ｅが力付与部材である係合リブ６０ｙから外力（第１の外力）を受ける。それによって、現像ユニット４１は、回転中心４６ｂである軸を中心にして回転（移動）し、現像ローラ４２は感光体ドラム３０から隙間αだけ離間する。
【手続補正６】
【補正対象書類名】明細書
【補正対象項目名】００７４
【補正方法】変更
【補正の内容】
【００７４】
また、カートリッジトレイ１３を引き出し方向（図２４のＺ１方向）に移動するに伴い、図８に示す状態から図７に示す状態になる。すなわち、突出部材７０は、第１力付与部材６０で付勢されない状態になる。この状態では、突出部材７０は、図７、図１４に示すように、付勢バネ２１の付勢力により突出位置にある。しかし、図２１、図２２に示すように突出部材７０は、第１力付与部材６０から力を受ける側面７０ｅ（図８）とは反対側に、傾斜部を設けた当接部（退避力受け部）７０ｃを設けている。